(57)【要約】      （修正有）【課題】印鑑外径寸法よりも薄い印鑑ケースへの収納を可能にするとともに、タンスや引き出しに眠る使用しなくなった印鑑の印材としての再利用性を向上し、高価な印材の使用量を抑えて軽量化と手頃な価格を実現できる印鑑の構造を提供する。【解決手段】印鑑を印章部１０と持ち手部２０に分離し、印面と対抗する面に固定した嵌合体１３と、持ち手部の端面に固定した嵌合受け体２３とが、着脱可能に一体化する構造を特徴としており、印章部の丈寸法、および、持ち手部の最小外径寸法が、印章の最小外径寸法より小さいことで、印鑑外径寸法よりも薄い印鑑ケースに収納することを可能にした。【選択図】図１
0003208705.tif 000002
【実用新案登録請求の範囲】
【請求項１】
印面と対抗する面に嵌合体を固定した印章部と、端面に嵌合受け体を固定した持ち手部とからなり、印章部の嵌合体と持ち手部の嵌合受け体が着脱可能に一体化することを特徴とする印鑑の構造。
【請求項２】
印面と対抗する面に嵌合体を固定した印章部と、端面に嵌合受け体を固定した持ち手部とからなる印鑑において、嵌合体と嵌合受け体が磁性体、もしくは磁石であることを特徴とする印鑑の構造。
【請求項３】
印章部と持ち手部が、着脱可能に一体化する構造の印鑑において、嵌合体と嵌合受け体が当接する面の一方には凹部、他方の当接面には凸部があることを特徴とする印鑑の嵌合部の構造。
【請求項４】
印章部と持ち手部が、着脱可能に一体化する構造の印鑑において、印章部の丈寸法、および、持ち手部の最小外径寸法が、印章の外径寸法より小さいことを特徴とする印鑑の構造。
【考案の詳細な説明】
【技術分野】
【０００１】  本考案は、携帯性、取り扱い性、および再利用性に優れた印鑑の構造に関する。
【背景技術】
【０００２】  我が国独自の文化である印鑑は、電子化が進んだ現代においても、商取引、契約、申請等の段階で、いまだ欠かせない存在である。【０００３】  印鑑の形状的な特徴は、断面を円形もしくは、楕円形として、円柱体のものが多く、この円柱体の端面に印章の彫り込み部（印面）があり、円柱体の胴部全体が持ち手部となっている。【０００４】  従来、印鑑の印章部と持ち手部は一体化されたものであるため、印鑑ケースも、半円形状の本体と蓋体に分かれており、蝶番にて連結された構造となっている。
そのため、印鑑ケースの外径寸法は、収納される印鑑外径の２倍ほどの大きさになっている。【０００５】  また、取り扱い性については、使用時は印鑑ケースの口金部分を捻じるようにして明け、収納されている印鑑の胴部を掴んで印鑑ケースから取り出し、印面に朱肉をつけて目的の紙面に押印する。押印終了後は、印鑑ケースに収納する。
この際、印面に付着していた朱肉により、指が汚れる場合も多々ある。【０００６】  さらに、印鑑の材料としての環境負荷からみると、素材としての再利用は、あまりされていないのが現状である。
印鑑の材料（印材）は、黒檀などの木製材料、象牙・牛角などの貴重な生物材料、チタンなどの高級金属材料、および樹脂材料がある。
このうち象牙は、自然保護の観点からワシントン条約による規制があり、現在ではたいへん責重な印材になっており、新規の調達が難しくなっている。【０００７】  さらに、使われなくなった印鑑を、印面を作り直して再利用することは殆どなされず、タンスや引き出しの中で眠る資源になっている。
【先行技術文献】
【特許文献】
【０００８】  印鑑の携帯性、取り扱い性、および再利用性の向上をねらいに考案された先行技術はなく、分割した構造の  実開平１−１２２９６６  は、印面そのものを分割しているので、本考案と技術的課題、解決の手段が全く異なるものである。
【考案の概要】
【考案が解決しようとする課題】
【０００９】  従来の印鑑は、印章部と持ち手部が一体構造の円形もしくは楕円形の円柱体であるため、印鑑ケースも印鑑の外径寸法の２倍ほど大きな円柱状になり、携帯品の薄型軽量化が好まれる中で、薄型化ができない課題となっている。【００１０】  次に、取り扱い性については、使用時は印鑑ケースの口金部分を捻じるようにして明け、収納されている印鑑の胴部を掴んで印鑑ケースから取り出し、印面に朱肉をつけて目的の紙面に押印する。押印終了後は、印鑑ケースに収納される。
この際、印面に付着していた朱肉により、指が汚れる課題がある。【００１１】  さらに、環境負荷の面からみると、印鑑の材料（印材）はたいへん貴重な素材を使用しているものが多い。
印鑑の材料は、黒檀などの木製材料、象牙・牛角などの貴重な生物材料、チタンなどの高級金属材料、および樹脂材料があるが、このうち象牙は、自然保護の観点からワシントン条約による規制があり、現在ではたいへん貴重な印材になっており、新規の調達が難しい課題がある。【００１２】  また、印鑑が使われなくなった場合にも、印面部分を作り直すことは殆どなされず、タンスや引き出しの中で眠っている場合が多く、資源として再利用がされていない。
【課題を解決するための手段】
【００１３】  本考案の印鑑は、印面と対抗する面に嵌合体を固定した印章部と、端面に嵌合受け体を固定した持ち手部とに分離し、使用時に印章部の嵌合体と持ち手部の嵌合受け体の嵌め合いにより一体化し、使用後は嵌合体と嵌合受け体の嵌め合いを解除することで印章部と持ち手部を分離できる構造を特徴としている。【００１４】  本考案の第一実施例として、嵌合体と嵌合受け体は、磁石もしくは磁性体である。
印面と対抗する面には、磁石もしくは磁性体からなる嵌合体を固定してあり、持ち手部の端面には、磁性体もしくは磁石からなる嵌合受け体を固定してある。
嵌合体と嵌合受け体の当接により、印章部と持ち手部を着脱可能に一体化することができる構造である。【００１５】  さらに、印章部の丈寸法は印鑑の外径寸法よりも小さく、かつ、持ち手部の最小寸法を印鑑外径寸法よりも小さくすることで、印章の外径寸法よりも薄い印鑑ケースに収納することが可能になる。【００１６】  本考案の第二実施例として、嵌合体と嵌合受け体が当接する面の一方には凹部、他方の当接面には凸部があることを特徴としている。
嵌合体と嵌合受け体の凹部と凸部により、印章部と持ち手部の一体化がより安定的にできる。【００１７】  本考案の第三実施例として、持ち手部に取っ手をつけたものである。
これにより、印鑑使用時は、印章部と持ち手部の一体化後、持ち手部の背面を片方の指で押すことで、安定した印影をつくることができる。使用後は、印鑑ケースの印章部保管場所にて、嵌合体と嵌合受け体の嵌め合いを解除することで、印面に指を触れることなく、印鑑を収納することができ、指が汚れない。
【考案の効果】
【００１８】  本考案の印鑑によれば、印面のある印章部と、持ち手部とが分離できるので、印章外径寸法よりも薄い印鑑ケースに収納することができ、印鑑の携帯性向上が実現できる。【００１９】  また、使用時には印章部と持ち手部の嵌合体と嵌合受け体の嵌め合いにより一体化し、従来と同じように押印することができる。
このとき、嵌合体と嵌合受け体が当接する面の一方には凹部、他方の当接面には凸部を有することで、より安定した一体構造の印鑑となる。【００２０】  印鑑の使用にあたっては、印鑑ケースから印章部を直接手で持たず、持ち手部の磁石で吸着して取り出し、嵌合体と嵌合受け体を嵌め合わせて一体化し、押印後は、印鑑ケースの収納部に印章部を下にしたまま印章部と持ち手部を分離し、収納できるので、指を汚すことなく、印鑑ケースに収納することができる。【００２１】  印材の再利用性は、印章部の丈寸法が、従来の印鑑寸法よりも短いので、従来の印鑑素材から複数の印章部を創出できる。【００２２】  また、既に使われなくなった印鑑で、タンスや引き出しに眠っている印鑑を印材の資源として掘り起こし、使われなくなった印鑑から、複数の印章部をあらたに創出することができる。
本考案は、現在使用中の登録印鑑にも実施可能である。【００２３】  さらに、本考案によれば、印材として貴重な、象牙・牛角などの生物材料の再利用率が高められ、環境への負荷が少ない印鑑を提供できる。
また、印影の美しさと耐久性の良さから好まれる、金・銀・チタンなどの高級金属材料の使用料を少なくすることができるので、値ごろな価格と、軽量化がともに実現できる。
【図面の簡単な説明】
【００２４】
【図１】
【図２】
【図３】
【図４】
【図５】
【図６】
【図７】
【考案を実施するための形態】
【００２５】  以下、本考案の実施の形態を図に基づいて説明する。
【実施例１】
【００２６】  本考案の第一実施例として、図１に示したように。嵌合体と嵌合受け体は、磁石もしくは磁性体である。図１−ａは、印面側から見たところ、図１−ｂは、背面側からみたところを示す。
印章部１０の印面１１と対抗する面１２には、磁石もしくは磁性体からなる嵌合体１３を固定してあり、持ち手部２０の端面２１には、磁性体もしくは磁石からなる嵌合受け体２３を固定してある。
嵌合体１３と嵌合受け体２３の当接により、印章部１０と持ち手部２０を着脱可能に一体化することができる構造である。
図２は、印章部１０と持ち手部２０が一体化された状態を示す。本考案の縦型の実施例である。【００２７】  さらに、印章部１０の丈寸法ｈ１は印鑑の外径寸法ｄよりも小さく、かつ、持ち手部２０の最小寸法ｈ２を印鑑外径寸法ｄよりも小さくすることで、印章の外径寸法よりも薄い印鑑ケースに収納することが可能になる。
【実施例２】
【００２８】  図３は、本考案の第二実施例として、嵌合体１３と嵌合受け体２３が当接する面の一方には凹部１４、他方の当接面には凸部２４があることを特徴としている。
嵌合体１３と嵌合受け体２３の凹部１４と凸部２４により、印章部１０と持ち手部２０の一体化がより安定的にできる。
図４は、他嵌合体の実施例で、多角形としている。
【実施例３】
【００２９】  図５は、本考案の第三実施例として、横型のものである。持ち手部２０に取っ手２５をつけた構造となっている。図５−ｂは、図５−ａの裏側から見た状態を示す。
これにより、図６に示すように、印鑑使用時は、印章部１０と持ち手部２０の一体化後、持ち手部の背面２２を片方の指で押すことで、安定した印影をつくることができる。
使用後は、印鑑ケース３０の印章部保管場所３１にて、嵌合体１３と嵌合受け体１４の嵌め合いを解除することで、薄型の印鑑ケース内に収納することができる。
【産業上の利用可能性】
【００３０】  本考案の印鑑によれば、従来の円柱状の印鑑ケースに代わり、印鑑外径寸法よりも薄いケースに収納することができ、携帯性が向上する。【００３１】  印材として、希少な黒檀などの木製材料、象牙・牛角などの貴重な生物材料、チタンなどの高級金属材料、および高級樹脂材料などの使用料を、５分の１以下にでき、またタンスや引き出しで眠っている使われなくなった印鑑から、複数の印鑑をつくりだすことが可能となる。【００３２】  さらに、印鑑使用時に印面についた朱肉で指が汚れることがない。
【符号の説明】
【００３３】１０…印章部、１１…印面、１２…印面対向面、１３…嵌合体、
１４…凹部、
２０…持ち手部、２１…持ち手部端面、２２…持ち手部の背面、
２３…嵌合受け体、２４…凸部、２５…取っ手
３０…印鑑ケース、３１…印章部保管場所
ｈ１…印章外径寸法、ｈ２…持ち手部最小寸法、ｄ…印鑑の外径寸法
【図１】
0003208705.tif 000003
【図２】
0003208705.tif 000004
【図３】
0003208705.tif 000005
【図４】
0003208705.tif 000006
【図５】
0003208705.tif 000007
【図６】
0003208705.tif 000008
【図７】
0003208705.tif 000009
【手続補正書】
【提出日】平成28年12月8日(2016.12.8)
【手続補正１】
【補正対象書類名】明細書
【補正対象項目名】００２４
【補正方法】変更
【補正の内容】
【００２４】
【図１】本考案に係る印鑑の第一実施例の形態を示した斜視図である
【図２】第一実施の形態における一体化された印鑑を示した斜視図である
【図３】本考案に係る印鑑の第二実施例の形態を示した斜視図である
【図４】第二実施の形態における嵌合部を多角形とした斜視図である
【図５】本考案に係る印鑑の第三実施例の形態を示した斜視図である
【図６】第三実施の形態における一体化された印鑑を示した斜視図である
【図７】本考案の実施の形態における印鑑を印鑑ケースに収納した状態を示した斜視図である